(57)【要約】【課題】部品点数および組立工数を減らすことが可能なケーブルガイドを提供する。【解決手段】一方向に長く連続する基板１１を周方向の一部として、内側にワイヤハーネスＷを挿通可能な周方向に閉じた略筒状をなすリンク体１２が、前記基板１１の長手方向に複数並べて形成され、隣り合う前記リンク体１２の間に形成された切り込み部１６が開閉することによって前記基板１１が曲げ変形するようになっている。【選択図】図２
2017022812.tif 000002
【特許請求の範囲】
【請求項１】
一方向に長く連続する基板を周方向の一部として、内側にワイヤハーネスを挿通可能な周方向に閉じた略筒状をなすリンク体が、前記基板の長手方向に複数並べて形成され、隣り合う前記リンク体の間に形成された切り込み部が開閉することによって前記基板が曲げ変形するようになっているケーブルガイド。
【請求項２】
隣接する前記リンク体が、上下方向に係止可能な係止部を備えている請求項１に記載のケーブルガイド。
【請求項３】
前記基板の位置が一部反転している請求項１または請求項２に記載のケーブルガイド。
【請求項４】
前記基板に補強部材が備えられている請求項１ないし請求項３のいずれか一項に記載のケーブルガイド。
【発明の詳細な説明】
【技術分野】
【０００１】
本発明は、ケーブルガイドに関する。
【背景技術】
【０００２】
従来、自動車のスライドドアとボディとの間に架け渡されるワイヤハーネスが知られている。このワイヤハーネスは、スライドドア内に装着された電装品への給電を行うべく備えられている。
【０００３】
この種のワイヤハーネスは、一般に、所定の形状に曲がることが可能なケーブルガイド内に挿通されて車両に取り付けられる。例えば下記特許文献１に記載されたケーブルガイドは、複数の筒形状をなすリンク部材が、所定角度範囲で回転可能に連結されてなる。ケーブルガイドは、無軌道な動きをしないよう、曲がる方向や曲がる量がスライドドアの軌跡に合わせて適宜設定されている。
【先行技術文献】
【特許文献】
【０００４】
【特許文献１】特開２０１０−１７９６８５号公報
【発明の概要】
【発明が解決しようとする課題】
【０００５】
しかしながら、上記のように、多数のリンク部材が連結されてなるケーブルガイドは、部品点数および組立工数が多いため、コストが高くなりがちであった。
【０００６】
本発明は上記のような事情に基づいて完成されたものであって、部品点数および組立工数を減らすことが可能なケーブルガイドを提供することを目的とする。
【課題を解決するための手段】
【０００７】
本発明のケーブルガイドは、一方向に長く連続する基板を周方向の一部として、内側にワイヤハーネスを挿通可能な周方向に閉じた略筒状をなすリンク体が、前記基板の長手方向に複数並べて形成され、隣り合う前記リンク体の間に形成された切り込み部が開閉することによって前記基板が曲げ変形するようになっているものである。
【発明の効果】
【０００８】
本発明によれば、ケーブルガイドの全体が一体化しているから、従来のように多数のリンク部材を連結するものに比して部品点数および組立工数を減らすことができる。
【図面の簡単な説明】
【０００９】
【図１】実施例１におけるケーブルガイドであって、車両の左側に取り付けられた状態を概略的に示す平面図
【図２】ケーブルガイドの変形を概略的に示す斜視図
【図３】実施例２におけるケーブルガイドの変形を概略的に示す斜視図
【図４】実施例３におけるケーブルガイドを示す一部拡大側面図
【図５】凸部と凹部とが係止した状態を示すケーブルガイドの断面図であって、図４のＡ−Ａ位置における断面に相当する断面図
【図６】実施例４におけるケーブルガイドを示す断面図
【図７】他の実施例（１０）におけるケーブルガイドを示す断面図
【図８】他の実施例（１１）におけるケーブルガイドを示す断面図
【発明を実施するための形態】
【００１０】
本発明の好ましい形態を以下に示す。
本発明のケーブルガイドは、隣接する前記リンク体が、上下方向に係止可能な係止部を備えているものとしてもよい。このような構成によれば、隣接するリンク体が相対的に上下方向にずれないから、ケーブルガイドの垂れ下がりを防止することができる。
【００１１】
また、本発明のケーブルガイドは、前記基板の位置が一部反転しているものとしてもよい。このような構成によれば、ケーブルガイドの曲げ変形をより効果的に規制することができる。
【００１２】
また、本発明のケーブルガイドは、前記基板に補強部材が備えられているものとしてもよい。このような構成によれば、基板が補強されるから、疲労耐久性を向上することができる。
【００１３】
＜実施例１＞
以下、本発明を具体化した実施例１について、図１および図２を参照しつつ詳細に説明する。
本実施例におけるケーブルガイド１０は、車両のスライドドア１とボディ２との間に架け渡されるワイヤハーネスＷが内部に挿通されるものである。ケーブルガイド１０の両端部のうち一方の端部は、ドア側固定用ブラケット３によってスライドドア１に固定され、他方の端部は、ボディ側固定用ブラケット４によってボディ２に固定される。
【００１４】
ワイヤハーネスＷは、スライドドア１内に装着されている図示しない各種電装品への給電のための電線を束ねたものであり、周囲にクリアランスが保有された状態でケーブルガイド１０に通される。
【００１５】
以下、各構成部材において、車両に取り付けられたときの進行方向前側（図１の右側）を前方、後側（図１の左側）を後方とし、車両に取り付けられたときの上側を上方、下側を下方として説明する。
【００１６】
スライドドア１は、車両の側面に備えられ、図１に示すように、前後方向にスライドして乗降口を開閉するようになっている。そして、スライドドア１が、乗降口を開放する開放位置にあるときには、ドア側固定用ブラケット３はボディ側固定用ブラケット４よりも後方に位置し、スライドドア１が、乗降口を閉鎖する閉鎖位置にあるときには、ドア側固定用ブラケット３はボディ側固定用ブラケット４よりも前方に位置するようになっている。ケーブルガイド１０は、スライドドア１の開閉動作に応じて所定の湾曲変形をするようになっている。なお、図１には、車両の左側に備えられたスライドドア１を示した。
【００１７】
ケーブルガイド１０は合成樹脂製であって、全体として内部にワイヤハーネスＷを挿通可能な長尺の筒状をなしている。
そして、ケーブルガイド１０は、一方向に長く連続する基板１１を有している。基板１１は、ケーブルガイド１０の全長にわたり連続している。基板１１は、上下方向の寸法が略一定の細長い長方形状（帯状）なしている。基板１１は、ケーブルガイド１０を車両に取り付けた状態で、その板面が概ね上下方向に立つ向きで配される。
【００１８】
ケーブルガイド１０は、基板１１を周方向の一部として、内側にワイヤハーネスＷを挿通可能な略筒状をなすように形成されたリンク体１２を複数備えている。複数のリンク体１２は、基板１１の長手方向に並べて形成されている。全てのリンク体１２は、基板１１の一面側に設けられている。
【００１９】
各リンク体１２は、概ね基板１１の長手方向における両側に開口した断面方形状の角筒状（箱型）をなしている。各リンク体１２は、基板１１の上縁および下縁から基板１１に対して略直角に立つ上下一対の横板１３と、基板１１と対向配置されて上下一対の横板１３の間を連結する縦板１４とを備えて周方向に閉じた形状をなしている。基板１１、横板１３および縦板１４の厚さ寸法（リンク体１２の内外方向の寸法）は同等とされている。
【００２０】
上下一対の横板１３は、車両に取り付けられた状態で互いに略平行をなして上下方向に対向する。横板１３は、平面視、概ね方形状をなし、上下一対の横板１３は、上下方向から見た形状が同形状とされている。
【００２１】
縦板１４は、横板１３の端縁（基板１１と反対側の縁）の全体にわたる幅寸法を有している。縦板１４は、基板１１の上下方向の寸法（短手方向の寸法）と同等の高さ寸法を有している。
【００２２】
すべてのリンク体１２は、隣接するリンク体１２の基板１１側の端部が、基板１１の上縁および下縁に沿って隙間なく連続するように形成されている。隣接するリンク体１２の基板１１側の端部の間には、円形状をなす貫通孔１５が形成されている。
【００２３】
また、隣接するリンク体１２の間には、切り込み部１６が形成されている。切り込み部１６は、隣接するリンク体１２の横板１３の間および縦板１４の間に形成された切れ目である。この切り込み部１６が開閉することによって、基板１１が曲げ変形するようになっている。なお、切り込み部１６は、貫通孔１５と連通している。
【００２４】
切り込み部１６の形状は、ケーブルガイド１０の部位によって異なるものとされている。切り込み部１６は、基板１１が曲げ変形していない直線形状をなす状態（以後、ケーブルガイド１０の直線状態と称する）において開いた状態になる第１切り込み部１６Ｆと、ケーブルガイド１０の直線状態において閉じた状態になる第２切り込み部１６Ｓとを備えている。第１切り込み部１６Ｆは、ケーブルガイド１０の直線状態において基板１１側から縦板１４側に向かって次第に開き寸法が増す（隣接するリンク体１２間の間隔が増す）形状をなしている。
【００２５】
ケーブルガイド１０のうち第１切り込み部１６Ｆが形成された部位は、第１切り込み部１６Ｆを閉じる方向（基板１１が曲げの外側に配される方向）と第１切り込み部１６Ｆが開く方向（基板１１が曲げの内側に配される方向）との両方向に曲げることが可能とされている。また、ケーブルガイド１０のうち第２切り込み部１６Ｓが形成された部位は、第２切り込み部１６Ｓが開く方向（基板１１が曲げの内側に配される方向）にのみ曲げることが可能とされている。すなわちケーブルガイド１０のうち第１切り込み部１６Ｆが形成された部位は、左右両側に曲げることが可能な両曲げ部１７とされ、第２切り込み部１６Ｓが形成された部位は左右両側のうち一方向にのみ曲げることが可能な片曲げ部１８とされている。
【００２６】
本実施例では、ケーブルガイド１０のボディ２側の端部とスライドドア１側の端部とを含む大部分が片曲げ部１８とされ、この片曲げ部１８の間の部分が両曲げ部１７とされている。
【００２７】
そして、スライドドア１が開放位置にあるときには、ケーブルガイド１０のボディ２側の端部の片曲げ部１８が、前後方向に対して略直角に立ち、その先の両曲げ部１７が後方に略９０度に曲がり、スライドドア１側の端部の片曲げ部１８がわずかに外側に曲がった状態になる。
【００２８】
スライドドア１が開放位置と閉鎖位置との間の半開位置にあるときには、ケーブルガイド１０のボディ２側の端部の片曲げ部１８およびその先の両曲げ部１７は開放位置のときと同じ形状を保持し、片曲げ部１８におけるスライドドア１側の端部は前後方向に直線状になり、その間の中間部が半円形状をなすように１８０度方向転換して曲がった状態になる。
【００２９】
スライドドア１が閉鎖位置にあるときには、ボディ２側の端部の片曲げ部１８が前方に曲がり、その他の部分は前後方向に直線状に延びた状態になる。
【００３０】
次に、上記のように構成された実施例の作用および効果について説明する。
本実施例におけるケーブルガイド１０は、一方向に長く連続する基板１１を周方向の一部として、内側にワイヤハーネスＷを挿通可能な周方向に閉じた略筒状をなすリンク体１２が、基板１１の長手方向に複数並べて形成され、隣り合うリンク体１２の間に形成された切り込み部１６が開閉することによって基板１１が曲げ変形するようになっている。
【００３１】
この構成によれば、ケーブルガイド１０の全体が一体化しているから、従来のように多数のリンク部材を連結するものに比して部品点数および組立工数を減らすことができる。
【００３２】
＜実施例２＞
次に、本発明を具体化した実施例２に係るケーブルガイド２０を図３によって説明する。
本実施例のケーブルガイド２０は、基板１１の位置が一部反転している点で、実施例１とは相違する。なお、実施例１と同様の構成には同一符号を付して重複する説明を省略する。
【００３３】
本実施例におけるケーブルガイド２０は、実施例１と同様、一方向に長く連続する基板１１を周方向の一部として、内側にワイヤハーネスＷを挿通可能な周方向に閉じた略筒状をなすリンク体１２が、基板１１の長手方向に複数並べて形成され、隣り合うリンク体１２の間に形成された切り込み部１６が開閉することによって基板１１が曲げ変形するようになっている。
【００３４】
そして、ケーブルガイド２０のうちボディ２側の部分とドア側の部分とで基板１１の位置が反転している。ボディ２側の端部は、実施例１と同じ側に基板１１が配され（以後、第１基板配置部２１と称する）、ドア側の部分は、その反対側（実施例１の縦板１４側）に基板１１が配されている（以後、第２基板配置部２２と称する）。
【００３５】
第１基板配置部２１と第２基板配置部２２とでは、縦板１４の配置が反転しており、第１基板配置部２１と第２基板配置部２２との間に位置するリンク体１２においては、縦板１４が基板１１と連続した形態とされている。
【００３６】
切り込み部１６は、実施例１と同様、第１切り込み部１６Ｆと第２切り込み部１６Ｓとを備えている。そして、本実施例では、ケーブルガイド２０のうちボディ２側の端部が第２切り込み部１６Ｓが形成された片曲げ部１８とされ、それ以外の部分が第１切り込み部１６Ｆが形成された両曲げ部１７とされている。
【００３７】
また、第１切り込み部１６Ｆは、第１基板配置部２１に設けられたものと第２基板配置部２２に設けられたものとで大きさが異なるものとされている。第１基板配置部２１に設けられた第１切り込み部１６Ｆは、ケーブルガイド２０の直線状態で、第２基板配置部２２に設けられた第１切り込み部１６Ｆよりも切り込み幅（隣り合うリンク体１２の間の間隔）が小さくされている。
【００３８】
そして、スライドドア１が開放位置にあるときには、実施例１と同様、ケーブルガイド２０のボディ２側の端部の片曲げ部１８が、前後方向に対して略直角に立ち、その先の両曲げ部１７が後方に略９０度に曲がり、スライドドア１側の端部の両曲げ部１７がわずかに外側に曲がった状態になる。
【００３９】
スライドドア１が開放位置と閉鎖位置との間の半開位置にあるときには、実施例１と同様、ケーブルガイド２０のボディ２側の端部の片曲げ部１８およびその先の両曲げ部１７は開放位置のときと同じ形状を保持し、両曲げ部１７におけるスライドドア１側の端部は前後方向に直線状になり、その間の中間部が半円形状をなすように１８０度方向転換して曲がった状態になる。このとき、この箇所においては第１切り込み部１６Ｆが閉じてそれ以上の曲げ変形が規制される。
【００４０】
スライドドア１が閉鎖位置にあるときには、実施例１と同様、ボディ２側の端部の片曲げ部１８が前方に曲がり、その他の部分は前後方向に直線状に延びた状態になる。
【００４１】
以上のように本実施例のケーブルガイド２０は、実施例１と同様、全体が一体化しているから、従来のように多数のリンク部材を連結するものに比して部品点数および組立工数を減らすことができる。また、基板１１の位置が一部反転していることにより、ケーブルガイド２０の曲げ変形をより効果的に規制することができる。
【００４２】
＜実施例３＞
次に、本発明を具体化した実施例３に係るケーブルガイド３０を図４および図５によって説明する。
本実施例のケーブルガイド３０は、隣接するリンク体１２が、上下方向に係止可能な係止部３１を備えている点で、実施例１とは相違する。なお、実施例１と同様の構成には同一符号を付して重複する説明を省略する。
【００４３】
本実施例におけるケーブルガイド３０は、実施例１と同様、一方向に長く連続する基板１１を周方向の一部として、内側にワイヤハーネスＷを挿通可能な周方向に閉じた略筒状をなすリンク体１２が、基板１１の長手方向に複数並べて形成され、隣り合うリンク体１２の間に形成された切り込み部１６が開閉することによって基板１１が曲げ変形するようになっている。
【００４４】
そして、隣接するリンク体１２は、上下方向に係止可能な係止部３１を備えている。係止部３１は、リンク体１２の縦板１４の上下方向における中央部に設けられている。係止部３１は、隣接する一対のリンク体１２のうち一方のリンク体１２に形成された凸部３２と、他方のリンク体１２に形成された凹部３３とを備えている。すなわち、各リンク体１２には、凸部３２と凹部３３とが一ずつ設けられている。
【００４５】
凸部３２は、縦板１４から水平に突出し、上下方向に略平行な直線状をなす上下両面３２Ｕと、円弧形状をなして湾曲する端面３２Ｔとを有している。凸部３２は、縦板１４の厚さ寸法よりも小さい略半分の厚さ寸法を有し、縦板１４の外面に沿って突出している。
【００４６】
凹部３３は、縦板１４の外面に凹み形成されている。凹部３３は、凸部３２の形状に整合した形状をなし、上下方向に略平行な直線状をなす上下両面３３Ｕと、円弧形状をなして湾曲する端面３３Ｔとを有している。凹部３３の凹み寸法（リンク体１２の内外方向の寸法）は凸部３２の厚さ寸法と同等とされている。そして、切り込み部１６が閉じたときには、凸部３２の略全体が凹部３３に嵌合し、その上面同士および下面同士が当接して上下方向に係止する。
【００４７】
以上のように本実施例のケーブルガイド３０は、実施例１と同様、全体が一体化しているから、従来のように多数のリンク部材を連結するものに比して部品点数および組立工数を減らすことができる。また、隣接するリンク体１２が、上下方向に係止可能な係止部３１を備えているから、隣接するリンク体１２が相対的に上下方向にずれないので、ケーブルガイド１０の垂れ下がりを防止することができる。
【００４８】
＜実施例４＞
次に、本発明を具体化した実施例４に係るケーブルガイド４０を図６によって説明する。
本実施例のケーブルガイド４０は、基板１１に補強部材４１が備えられている点で、実施例１とは相違する。なお、実施例１と同様の構成には同一符号を付して重複する説明を省略する。
【００４９】
本実施例におけるケーブルガイド４０は、実施例１と同様、一方向に長く連続する基板１１を周方向の一部として、内側にワイヤハーネスＷを挿通可能な周方向に閉じた略筒状をなすリンク体１２が、基板１１の長手方向に複数並べて形成され、隣り合うリンク体１２の間に形成された切り込み部１６が開閉することによって基板１１が曲げ変形するようになっている。
【００５０】
そして、基板１１には、補強部材４１が備えられている。補強部材４１は、基板１１の全長もしくは基板１１のうち必要な箇所に備えられている。
補強部材４１は、断面が円弧形状をなすように湾曲した湾曲鋼板とされている。補強部材４１は、湾曲面４２が基板１１の外側に配されるとともに上下両端縁４３が、それぞれ横板１３に近接して配される向きで、基板１１に形成されたスリット４４に挿入されている。スリット４４に挿入された補強部材４１は、全体が基板１１に埋め込まれた状態になり、外部に露出しないようになっている。
【００５１】
以上のように本実施例のケーブルガイド４０は、実施例１と同様、全体が一体化しているから、従来のように多数のリンク部材を連結するものに比して部品点数および組立工数を減らすことができる。また、基板１１に補強部材４１が備えられているから、基板１１の疲労耐久性を向上することができる。すなわち、ケーブルガイド４０が曲げ変形する箇所においては、内部のワイヤハーネスＷが基板１１に当接し、その弾性復元力が基板１１に繰り返し作用することになるため基板１１が疲労破壊する虞がある。しかしながら、基板１１に備えられた補強部材４１に、ワイヤハーネスＷから受ける力が分担されるから、そのような基板１１の疲労破壊を防ぐことができる。
【００５２】
＜他の実施例＞
本発明は上記記述及び図面によって説明した実施例に限定されるものではなく、例えば次のような実施例も本発明の技術的範囲に含まれる。また、各々の実施例を適宜組み合わせてもよい。
（１）上記実施例では、リンク体１２が角筒状をなしているが、これに限らず、リンク体は例えば円筒状であってもよく、また例えば偏平な形状であってもよい。
（２）上記実施例では、リンク体１２が周方向に閉じているが、ワイヤハーネスＷを側方（周方向の外側）から挿入可能なスリットを、基板に形成しても良い。
（３）上記実施例１および上記実施例２では、切り込み部１６の大きさおよび形状を例示したが、これに限らず、切り込み部の大きさおよび形状は適宜変更してもよく、また一のケーブルガイドに、大きさまたは形状の異なる複数種の切り込み部を形成してもよい。
（４）上記実施例１および上記実施例２では、隣接するリンク体１２の基板１１側の端部が、基板１１の上縁および下縁に沿って隙間なく連続しているが、これに限らず、隣接するリンク体の基板側の端部を含む全体を離して形成してもよい。
（５）上記実施例２では、第１基板配置部２１と第２基板配置部２２とが一ずつ設けられているが、これに限らず、第１基板配置部と第２基板配置部とを複数箇所に設けても良い。
（６）上記実施例２のケーブルガイドに上記実施例３の係止部を設けてもよい。
（７）上記実施例２のケーブルガイドに上記実施例４の補強部材を備えるものとしてもよい。
（８）上記実施例３では、係止部３１が縦板１４に設けられているが、これに限らず、係止部は、例えば横板に設けても良い。
（９）上記実施例３では、凸部３２と凹部３３との上下両面３２Ｕ，３３Ｕが当接するものとしているが、これに限らず、例えば凸部と凹部との上面同士のみが当接してケーブルガイドの垂れ下がりを防ぐようにしてもよい。
（１０）上記実施例４では、補強部材４１が湾曲鋼板である場合を例示したが、これに限らず、例えば、図７に示すように、補強部材を、金属製または樹脂製の平板からなる補強部材５０とし、基板１１に形成されたスリット５１に挿入するものとしてもよい。
（１１）上記実施例４では、補強部材４１が湾曲鋼板である場合を例示したが、これに限らず、例えば、図８に示すように、補強部材を、金属製または樹脂製等の細線をメッシュ状に編み込んで薄い形状に形成した編組部材からなる補強部材６０とし、インサート成型により基板１１内に埋め込むものとしてもよい。
（１２）上記実施例４では、補強部材４１が基板１１に埋め込まれているが、これに限らず、補強部材を基板の外面に貼り付けてもよい。
【符号の説明】
【００５３】
Ｗ…ワイヤハーネス
１０，２０，３０，４０…ケーブルガイド
１１…基板
１２…リンク体
１６…切り込み部
３１…係止部
４１，５０，６０…補強部材
【図１】
2017022812.tif 000003
【図２】
2017022812.tif 000004
【図３】
2017022812.tif 000005
【図４】
2017022812.tif 000006
【図５】
2017022812.tif 000007
【図６】
2017022812.tif 000008
【図７】
2017022812.tif 000009
【図８】
2017022812.tif 000010